(57)【要約】【課題】  本発明は、ベースバルブの開弁圧を高めずに伸側室が負圧になるのを防止でき、緩衝器の収縮作動時のソフト減衰力が高くならない緩衝器の提供を目的とする。【解決手段】  シリンダ１０と、シリンダ１０内に軸方向に移動自在に挿入されるロッド１２と、ロッド１２の先端に連結されるとともに、シリンダ１０内に摺動自在に挿入されてシリンダ１０内を伸側室Ｒ１と圧側室Ｒ２に区画するピストン１１と、リザーバＲと、リザーバＲと圧側室Ｒ２とを連通するとともに、圧側室Ｒ２からリザーバＲへ向かう液体の流れに抵抗を与える排出通路２２と、リザーバＲから圧側室Ｒ２へ向かう液体の流れのみを許容する吸込通路２１と、伸側室Ｒ１と圧側室Ｒ２とを連通する通路１４，１５と、通路１４，１５に設けられた減衰力調整バルブＶと、リザーバＲから伸側室Ｒ１へ向かう液体の流れのみを許容する供給通路１６とを備えることを特徴とする。【選択図】  図１
2018053977.tif 000002
【特許請求の範囲】
【請求項１】
シリンダと、
前記シリンダ内に軸方向に移動自在に挿入されるロッドと、
前記ロッドの先端に連結されるとともに、前記シリンダ内に摺動自在に挿入されて前記シリンダ内を伸側室と圧側室に区画するピストンと、
リザーバと、
前記リザーバと前記圧側室とを連通するとともに、前記圧側室から前記リザーバへ向かう液体の流れに抵抗を与える排出通路と、
前記リザーバから前記圧側室へ向かう液体の流れのみを許容する吸込通路と、
前記伸側室と前記圧側室とを連通する通路と、
前記通路に設けられた減衰力調整バルブと、
前記リザーバから前記伸側室へ向かう液体の流れのみを許容する供給通路とを備えたことを特徴とする緩衝器。
【請求項２】
前記供給通路に、前記リザーバから前記伸側室へ向かう液体の流れのみを許容して、前記伸側室の内部圧力を大気圧以上に維持する逆止弁を設けたことを特徴とする請求項１に記載の緩衝器。
【請求項３】
前記シリンダを収容する外筒を設け、前記外筒と前記シリンダとの間に前記リザーバを形成し、
前記外筒と前記シリンダとの間に中間筒を設け、前記シリンダと前記中間筒とで前記供給通路を形成することを特徴とする請求項１または２に記載の緩衝器。
【請求項４】
前記供給通路の前記リザーバ側開口が前記リザーバの底部側に開口し、前記供給通路の前記伸側室側開口が前記伸側室の前記ピストンのストローク範囲外の位置に開口することを特徴とする請求項３に記載の緩衝器。
【発明の詳細な説明】
【技術分野】
【０００１】
この発明は、緩衝器に関する。
【背景技術】
【０００２】
緩衝器は、車両の車体と車輪の間に介装されて、車輪に入力された振動を減衰して車体の揺れを抑制する。そして、上記緩衝器には、乗り心地向上等を目的として、減衰力調整を可能にしたものがある。
【０００３】
このような緩衝器は、たとえば、シリンダと、前記シリンダ内を移動自在に挿入されるロッドと、前記ロッドの一端に連結され、前記シリンダ内を伸側室と圧側室に区画するとともにシリンダ内周に摺接するピストンと、前記シリンダを収容する外筒と、前記外筒と前記シリンダとの間に形成されるリザーバと、前記圧側室と前記リザーバを区画するバルブケースとを備えて構成される。そして、前記ピストンには、前記伸側室と前記圧側室とを連通する伸側通路と圧側通路が形成されるとともに、前記伸側通路と前記圧側通路を通過する液体の流れに調整可能な抵抗を与える減衰力調整バルブが設けられている。さらに、前記バルブケースには、前記圧側室と前記リザーバを連通するとともに、前記圧側室から前記リザーバへ向かう液体の流れに抵抗を与える排出通路と、前記リザーバから前記圧側室へ向かう液体の流れのみを許容する吸込通路が並列されている。（たとえば、特許文献１を参照）
上記緩衝器は、緩衝器の伸長作動時には、伸側通路を介して伸側室から圧側室に向けて流れる液体の流れに減衰力調整バルブで抵抗を与えて、伸側減衰力を発揮する。
【０００４】
対して緩衝器の収縮作動時には、圧側室の液体が圧側通路を介して伸側室に向けて流れるとともに、ロッド侵入体積分の液体がベースバルブを開弁してリザーバに排出される。そのため、緩衝器は、圧側通路を通過する液体の流れに減衰力調整バルブで抵抗を与えるとともに、リザーバへ排出される液体の流れにベースバルブで抵抗を与えて、圧側減衰力を発揮する。
【０００５】
したがって、このような緩衝器では、減衰力調整バルブで液体の流れに与える抵抗を調節することで、伸側減衰力と圧側減衰力をソフトからハードまで調節できる。
【先行技術文献】
【特許文献】
【０００６】
【特許文献１】特開２０１０−１４２８１
【発明の概要】
【発明が解決しようとする課題】
【０００７】
減衰力調整バルブで緩衝器の収縮作動時の減衰力である圧側減衰力をハードに設定した場合、圧側室から伸側室へ液体が移動しにくくなる。そのため、ベースバルブの開弁圧が低いと、圧側室の圧力がベースバルブを介してリザーバへ逃げてしまうため、伸側室が大気圧以下となる負圧となってしまう。したがって、従来の緩衝器では、伸側室を負圧にしないためにベースバルブの開弁圧を高く設定しておく必要があった。
【０００８】
このように、ベースバルブの開弁圧を高く設定すると、減衰力調整バルブで圧側減衰力をソフトにしようとしても、ベースバルブが開弁しにくいので、シリンダ内の圧力を低くできず圧側減衰力の調整幅の下限が高くなってしまう。したがって、従来の緩衝器では、圧側の減衰力調整幅を確保しようとしてもソフト減衰力も大きくなってしまう。つまり、圧側減衰力の調整幅の上限を高くすると調整幅の下限が高くなってしまい圧側の減衰力調整幅を確保できない。
【０００９】
そこで、本発明では、ベースバルブの開弁圧を高めずに伸側室が負圧になるのを防止でき、緩衝器の収縮作動時のソフト減衰力が高くならない緩衝器の提供を目的とする。
【課題を解決するための手段】
【００１０】
前記課題を解決するための手段は、シリンダ内に軸方向に移動自在に挿入されるロッドの先端に連結されたシリンダ内を伸側室と圧側室に区画するピストンと、リザーバと、前記リザーバと前記圧側室とを連通するとともに、前記圧側室から前記リザーバへ向かう液体の流れに抵抗を与える排出通路と前記リザーバから前記圧側室へ向かう液体の流れのみを許容する吸込通路と、前記伸側室と前記圧側室とを連通する通路に設けられた減衰力調整バルブと、前記リザーバから前記伸側室へ向かう液体の流れのみを許容する供給通路とを備えたことを特徴とする。
【００１１】
また、前記供給通路に、前記リザーバから前記伸側室へ向かう液体の流れのみを許容して、前記伸側室の内部圧力を大気圧以上に維持する逆止弁を設けるようにしてもよい。この構成によると、伸側室内が負圧になる前に逆止弁が開弁してリザーバと伸側室が連通するため、伸側室の内部圧力がリザーバ圧となり、伸側室が負圧になるのを防止できる。
【００１２】
また、前記シリンダを収容する外筒を設け、前記外筒と前記シリンダとの間に前記リザーバを形成し、前記外筒と前記シリンダとの間に中間筒を設け、前記シリンダと前記中間筒とで前記供給通路を形成するようにしてもよい。この構成によると、緩衝器にリザーバと伸側室を連通する吸込通路を容易に形成できる。
【００１３】
また、前記供給通路の前記リザーバ側開口が前記リザーバの底部側に開口し、前記供給通路の前記伸側室側開口が前記伸側室の前記ピストンのストローク範囲外の位置に開口するようにしてもよい。この構成によると、供給通路は、リザーバ内の気体から最も離れた位置の液体を吸込むため、気体が混合した液体を吸込む恐れがない。また、緩衝器が最伸長しても供給通路と圧側室が連通しないようになっている。
【発明の効果】
【００１４】
本発明の緩衝器によれば、リザーバと伸側室を連通する供給通路によって伸側室が負圧になるのを防止するため、圧側減衰力の調整幅の上限を高くしても、調整幅の下限が高くならず、圧側減衰力の可変幅を確保できる。よって、緩衝器がソフトな減衰力を発揮する際の車両の乗り心地が向上するとともに操縦安定性が向上する。
【図面の簡単な説明】
【００１５】
【図１】本実施の形態に係る緩衝器の全体を示す全体概略図である。
【図２】図１の供給通路に設けられる逆止弁の一例を示す一部拡大断面図である。
【図３】図２の第一変形例を示す断面図である。
【発明を実施するための形態】
【００１６】
以下に、図面を参照しながら本実施の形態について説明する。いくつかの図面を通して付された同じ符号は、同じ部品か対応する部品を示す。
【００１７】
本実施の形態に係る緩衝器Ｄは、図１に示すように、シリンダ１０と、シリンダ１０内に軸方向に移動自在に挿入されるロッド１２と、ロッド１２の先端に連結されるとともに、シリンダ１０内に摺動自在に挿入されてシリンダ１０内を伸側室Ｒ１と圧側室Ｒ２に区画するピストン１１と、リザーバＲと、リザーバＲと圧側室Ｒ２とを連通するとともに、圧側室Ｒ２からリザーバＲへ向かう液体の流れに抵抗を与える排出通路２２と、リザーバＲから圧側室Ｒ２へ向かう液体の流れのみを許容する吸込通路２１と、伸側室Ｒ１と圧側室Ｒ２とを連通する通路１４，１５と、通路１４，１５に設けられた減衰力調整バルブＶと、リザーバＲから伸側室Ｒ１へ向かう液体の流れのみを許容する供給通路１６とを備える。
【００１８】
以下、緩衝器Ｄの各部について詳細に説明する。図１に示すように、本実施の形態に係る緩衝器Ｄは、シリンダ１０を収容する外筒１を備えており、外筒１とシリンダ１０との間にリザーバＲが形成されている。そして、リザーバＲには、作動油などの液体と大気圧以上の気体Ｇが充填されている。
【００１９】
また、ピストン１１には、伸側室Ｒ１と圧側室Ｒ２とを連通する通路である伸側通路１４および圧側通路１５と、これらの通路１４，１５を通過する液体の流れに抵抗を与える減衰力調整バルブＶが設けられている。
【００２０】
本例では、図１に示すように、減衰力調整バルブＶは、伸側通路１４に設けられ伸側室Ｒ１から圧側室Ｒ２に向けて移動する液体の流れに抵抗を与える伸側減衰弁Ｖ１と、圧側通路１５に設けられ圧側室Ｒ２から伸側室Ｒ１に向けて移動する液体の流れに抵抗を与える圧側減衰弁Ｖ２とで構成されている。
【００２１】
伸側減衰弁Ｖ１は、本例では電磁弁であって、伸側通路１４の途中に設けた弁体３０と、伸側通路１４を遮断するように弁体３０を附勢するバネ３１と、通電時にバネ３１に対抗する推力を発生するソレノイド３２とを備えて構成される。これにより、ソレノイド３２に流れる電流量を調整すると伸側減衰弁Ｖ１の開弁圧を調整できるようになっている。
【００２２】
また、圧側減衰弁Ｖ２も同様に、本例では電磁弁であって、圧側通路１５の途中に設けた弁体４０と、圧側通路１５を遮断するように弁体４０を附勢するバネ４１と、通電時にバネ４１に対抗する推力を発生するソレノイド４２とを備えて構成される。これにより、ソレノイド４２に流れる電流量を調整すると圧側減衰弁Ｖ２の開弁圧を調整できるようになっている。
【００２３】
また、減衰力調整バルブＶは、本例のようなソレノイドバルブでなくとも、減衰力を可変にできるバルブであればよく、例えばロータリバルブや電磁絞り弁であってもよい。
【００２４】
また、図１に示すように、シリンダ１０の図中下端には、リザーバＲと圧側室Ｒ２とを区画するバルブケース２０が装着されている。バルブケース２０には、圧側室Ｒ２とリザーバＲとを連通する吸込通路２１と排出通路２２が並列に設けられている。そして、吸込通路２１の途中には、リザーバＲから圧側室Ｒ２へ向かう液体の流れのみを許容する吸込用逆止弁１３が設けられている。また、排出通路２２の途中には、圧側室Ｒ２からリザーバＲへ向かう液体の流れに抵抗を与えるベースバルブ２３が設けられている。
【００２５】
また、本例では供給通路１６は、外筒１とシリンダ１０との間に設けられた中間筒３によって形成されている。中間筒３は、シリンダ１０の外側に設けられており、シリンダ１０との間に供給通路１６を形成している。そして、供給通路１６は、リザーバＲから伸側室Ｒ１へ向かう流体の流れのみを許容する逆止弁１７を備えており、一方通行の流路となっている。さらに、供給通路１６は、入口であるリザーバ側開口がリザーバＲの底部付近に開口し、出口である伸側室側開口が、伸側室Ｒ１のピストン１１のシリンダ１０に対してストロークする範囲より上方に開口してリザーバＲと伸側室Ｒ１を連通させている。つまり、供給通路１６の伸側室側開口は、シリンダ１０におけるピストン１１のストローク範囲外に開口している。
【００２６】
次に供給通路１６に設けられた逆止弁１７の具体的な構造の例を図２を用いて説明する。本例では、シリンダ１０の図１中上端にはロッド１２の軸方向の移動をガイドする環状のロッドガイド２が設けられている。図２に示すように、ロッドガイド２は下端に小径部２ａを有して、外径が途中で異なっており、境界に段部２ｂが設けられている。そして、図２に示すように、中間筒３およびシリンダ１０とロッドガイド２の段部２ｂとの間に、逆止弁１７が設けられている。
【００２７】
図２の逆止弁１７は、中間筒３およびシリンダ１０とロッドガイド２の段部２ｂとの間に介装されるとともに外周に環状凹部１８ｃを備えるバルブシート部材１８と、バルブシート部材１８の外周に装着されたカバー１９と、カバー１９内に収容された環状の弁体１７ａと弁体１７ａを附勢するスプリング１７ｂとを備えて構成される。
【００２８】
バルブシート部材１８は、図２に示すように、ロッドガイド２の小径部２ａの外径とほぼ等しい内径を有する上方嵌合部１８ａと、内径がシリンダ１０の外径とほぼ等しく外径が中間筒３の上端部の内径とほぼ等しく成形された下方嵌合部１８ｂを備える。そして、本例では下方嵌合部１８ｂを中間筒３およびシリンダ１０の間に嵌合し、上方嵌合部１８ａを小径部２ａの外周に嵌合することで、バルブシート部材１８は、中間筒３およびシリンダ１０とロッドガイド２との間に介装されている。
【００２９】
また、カバー１９は、有底筒状であって、ロッドガイド２の段部２ｂとバルブシート部材１８との間で底部１９ａが挟持されてバルブシート部材１８の外周に装着されている。
【００３０】
また、弁体１７ａは、環状凹部１８ｃのシリンダ１０側端面であるシート面１８ｄに積層され、スプリング１７ｂは、カバー１９の底部１９ａと弁体１７ａとの間に介装され、弁体１７ａをシリンダ側に附勢する。
【００３１】
さらに、バルブシート部材１８には、シート面１８ｄに開口し中間筒３内とカバー１９内を連通する縦孔１８ｅと、カバー１９内と伸側室Ｒ１を連通する横孔１８ｆが設けられている。これにより、逆止弁１７は、リザーバＲから中間筒３内を介して伸側室Ｒ１に移動する液体の流れのみを許容する。
【００３２】
以上より、本例では、リザーバＲと伸側室Ｒ１を連通する供給通路１６は、中間筒３内、縦孔１８ｅ、カバー１９内、横孔１８ｆとで形成される。
【００３３】
なお、逆止弁１７は、少なくとも伸側室Ｒ１の内部圧力が大気圧以下、すなわち負圧になる前には開いてリザーバＲと伸側室Ｒ１を連通させる開弁圧には設定されており、この開弁圧は、スプリング１７ｂのばね定数を変更するなどして調整できる。
【００３４】
また、図３に示すように中間筒３と下方嵌合部１８ｂとの間、あるいは、図示しないが、カバー１９と下方嵌合部１８ｂとの間にＯリング等の環状シール５０を設けるようにしてもよい。この構成によれば、リザーバＲ内に封入された気体Ｇが供給通路１６内に入り込むのを確実に防止できる。
【００３５】
また、図２，図３の構成では、逆止弁１７をシリンダ１０と中間筒３の間に嵌合して、シリンダ１０、中間筒３および逆止弁１７をアッセンブリ化したシリンダアッシとされている。
【００３６】
なお、上述した図２，図３の逆止弁１７の構造は一例であって、本発明の構造はこれに限定されるものではない。
【００３７】
次に、本実施の形態に係る緩衝器Ｄの作動を説明する。緩衝器Ｄが伸長すると、伸側室Ｒ１が圧縮され、圧側室Ｒ２が拡大するため、液体が伸側減衰弁Ｖ１を途中に設けた伸側通路１４を通って圧側室Ｒ２に移動する。この際、伸側室Ｒ１から圧側室Ｒ２に移動する液体の流れには、伸側減衰弁Ｖ１の開弁圧に基づく抵抗が与えられて緩衝器Ｄは伸側減衰力を発揮する。ここで、伸側減衰弁Ｖ１の開弁圧はソレノイド３２に流れる電流量によって決定されるため、緩衝器Ｄの伸側減衰力は、ソレノイド３２への通電量によって調節される。また、この際、ロッド退出体積分の液体が吸込通路２１を介してリザーバＲからシリンダ１０内に流入するため、シリンダ内容積変化を補償できる。
【００３８】
なお、緩衝器Ｄの伸長作動時においては、伸側室Ｒ１は圧縮されて加圧されており、伸側室Ｒ１の内部圧力はリザーバＲの内部圧力よりも高くなっているため、供給通路１６に設けられた逆止弁１７は開弁しない。
【００３９】
反対に、緩衝器Ｄが収縮すると、伸側室Ｒ１が拡大され、圧側室Ｒ２が圧縮されるため、圧側室Ｒ２内の液体が圧側減衰弁Ｖ２を途中に設けた圧側通路１５を通って伸側室Ｒ１に移動する。さらに、シリンダ１０内で過剰となったロッド侵入体積分の液体は、ベースバルブ２３を押し開いてシリンダ１０内からリザーバＲに排出される。
【００４０】
ここで、圧側減衰弁Ｖ２の開弁圧を高めて、減衰力をハードに設定した場合には、圧側室Ｒ２から伸側室Ｒ１へ液体が移動しにくくなるため、伸側室Ｒ１の体積が拡大するのに対して液体が不足して伸側室Ｒ１の内部圧力が低下する。すると、リザーバＲの内部圧力に押されて供給通路１６に設けられた逆止弁１７が開弁して、供給通路１６を介してリザーバＲから伸側室Ｒ１へ液体が供給される。
【００４１】
これにより、伸側室Ｒ１内の内部圧力は大気圧以上に保たれるため、減衰力調整バルブＶで圧側減衰力をハードにしても伸側室Ｒ１は負圧にならない。
【００４２】
そのため、ベースバルブ２３の開弁圧を高く設定せずとも負圧を防げる。換言すれば、伸側室が負圧になるのを防止するために高く設定されていた従来のベースバルブの開弁圧に比べて、ベースバルブ２３の開弁圧を低く設定できるので、ソフト減衰力の調整幅の下限も低くなる。
【００４３】
さらに、従来の緩衝器では、リザーバ内の圧力を高く設定してベースバルブの開弁圧を高めて、伸側室が負圧にならないようにしていたが、本実施の形態に係る緩衝器Ｄによれば、リザーバＲ内の圧力を高くせずとも伸側室Ｒ１が負圧になるのを防止できる。
【００４４】
さらに、本実施の形態に係る緩衝器Ｄによると、ベースバルブ２３の開弁圧を従来に比べて低くできるため、ベースバルブ２３の開弁時の急激な圧力変動が抑制されて、急激な圧力変動に起因する異音の発生を抑制できる。
【００４５】
なお、減衰力をソフトに設定した場合には、圧側減衰弁Ｖ２の開弁圧が低く設定されるため、圧側室Ｒ２から伸側室Ｒ１へ移動する液体の流れに対して作用する抵抗が小さい。そのため、伸側室Ｒ１内の液体は不足せず、伸側室Ｒ１の内部圧力は低下しない。したがって、減衰力調整バルブＶで圧側減衰力をソフトに設定した場合には、逆止弁１７は開弁しない。
【００４６】
また、圧側室Ｒ２から伸側室Ｒ１に移動する液体の流れには、圧側減衰弁Ｖ２の開弁圧に基づく抵抗が与えられるとともに、シリンダ１０内からリザーバＲに排出される液体の流れには、ベースバルブ２３により抵抗が与えられて緩衝器Ｄは圧側減衰力を発揮する。ここで、圧側減衰弁Ｖ２の開弁圧はソレノイド４２に流れる電流量によって決定されるため、緩衝器Ｄの圧側減衰力は、ソレノイド４２への通電量によって調節される。
【００４７】
よって、本実施の形態に係る緩衝器Ｄは、減衰力調整バルブＶの開弁圧の調節により、緩衝器Ｄの伸側減衰力と圧側減衰力をソフトからハードまで調節できる。
【００４８】
また、本実施の形態に係る緩衝器Ｄは、シリンダ１０と、シリンダ１０内に軸方向に移動自在に挿入されるロッド１２と、ロッド１２の先端に連結されるとともに、シリンダ１０内に摺動自在に挿入されてシリンダ１０内を伸側室Ｒ１と圧側室Ｒ２に区画するピストン１１と、リザーバＲと、リザーバＲと圧側室Ｒ２とを連通するとともに、圧側室Ｒ２からリザーバＲへ向かう液体の流れに抵抗を与える排出通路２２と、リザーバＲから圧側室Ｒ２へ向かう液体の流れのみを許容する吸込通路２１と、伸側室Ｒ１と圧側室Ｒ２とを連通する通路１４，１５と、通路１４，１５に設けられた減衰力調整バルブＶと、リザーバＲから伸側室Ｒ１へ向かう液体の流れのみを許容する供給通路１６とを備えて構成されている。
【００４９】
この構成によると、リザーバＲから伸側室Ｒ１に液体を供給可能な供給通路１６が設けられているため、ベースバルブ２３の開弁圧を高めに設定することなく、緩衝器Ｄの収縮作動時に伸側室Ｒ１が負圧になるのを防止できる。よって、緩衝器Ｄの収縮時のソフト減衰力が高くならず、緩衝器がソフトな減衰力を発揮する際の車両の乗り心地が向上するとともに操縦安定性が向上する。
【００５０】
また、本実施の形態においては、供給通路１６に設けられた逆止弁１７は、伸側室Ｒ１の内部圧力が大気圧以下になるより前に開弁するため、伸側室Ｒ１の内部圧力を大気圧以上に維持する。これにより、伸側室Ｒ１が負圧になるのを確実に防止できる。
【００５１】
また、本実施の形態においては、外筒１とシリンダ１０の間に中間筒３を設け、シリンダ１０と中間筒３とで供給通路１６を形成している。しかしながら、供給通路１６は、リザーバＲと伸側室Ｒ１を連通する通路であればよいため、供給通路１６を別の手段、例えば、リザーバＲと伸側室Ｒ１を連通するパイプで形成するなどしてもよい。ただし、供給通路１６をパイプで形成するよりも、外筒１とシリンダ１０の間に中間筒３を設けて、シリンダ１０の外周と中間筒３の内周とで供給通路１６を形成した方が容易に形成できる上、組み立ても容易である。
【００５２】
また、本実施の形態においては、供給通路１６のリザーバ側開口がリザーバＲの底部側に開口し、供給通路１６の伸側室側開口が伸側室Ｒ１のピストン１１のストローク範囲外の位置に開口するようにしている。この構成によると、供給通路１６は、リザーバＲ内の気体Ｇから最も離れた位置の液体を吸込むため、気体Ｇが混合した液体を吸込む恐れがない。また、緩衝器Ｄが最伸長しても供給通路１６と圧側室Ｒ２が連通しないようになっている。
【００５３】
また、図２、３に示すように、逆止弁１７をシリンダ１０と中間筒３の間に嵌合して、シリンダ１０と中間筒３と逆止弁１７とをアッセンブリ化したシリンダアッシとしてもよい。この構成によると、従来の緩衝器のシリンダの構造をシリンダアッシに変更すれば、供給通路１６を備える緩衝器Ｄとなるため、シリンダ以外の部品の変更が必要なく、部品の共通化を図れる。
【００５４】
また、緩衝器をストラット型のサスペンションに利用する場合、入力されるモーメントに対応するために、ロッドの径が大きくなり、収縮作動時にシリンダ内からリザーバに排出される液体の流量が多くなる。流量が多くなるのに伴って、ベースバルブを通過する液体の流れに対する抵抗も大きくなるので、ストラット型のサスペンションに利用される場合、収縮作動時のソフト減衰力がストラット型のサスペンションに利用される以外の場合以上に大きくなって、車両の乗り心地がより悪化しやすい。
【００５５】
したがって、本発明の構成は、ストラット型のサスペンションに利用される場合、特に顕著な効果を発揮する。
【００５６】
なお、本実施の形態においては、緩衝器Ｄは複筒型であって、外筒１とシリンダ１０の間にリザーバＲを設けた緩衝器とされているが、本発明は、リザーバと、収縮作動時にリザーバに排出される液体の流れに抵抗を与えるベースバルブを備える緩衝器であればよい。本発明は、たとえば、タンクを別に設けて当該タンクをリザーバとした単筒型の緩衝器や、シリンダ内にフリーピストンで区画した液室とエア室からなるリザーバを設けた単筒型の緩衝器で実現されてもよい。
【００５７】
以上、本発明の好ましい実施の形態を詳細に説明したが、特許請求の範囲から逸脱なく改造、変形及び変更ができるのは当然である。
【符号の説明】
【００５８】
１・・・外筒、３・・・中間筒、１０・・・シリンダ、１１・・・ピストン、１２・・・ロッド、１４・・・伸側通路，１５・・・圧側通路、１６・・・供給通路、１７・・・逆止弁、２１・・・吸込通路、２２・・・排出通路、Ｄ・・・緩衝器、Ｒ・・・リザーバ、Ｒ１・・・伸側室、Ｒ２・・・圧側室、Ｖ・・・減衰力調整バルブ
【図１】
2018053977.tif 000003
【図２】
2018053977.tif 000004
【図３】
2018053977.tif 000005